(57)【特許請求の範囲】
【請求項１】
カールコードを有する機器の外面に設けられ、カールコードのカール部の各線が嵌入係止する複数列の溝を形成する直立壁体からなり、前記溝は、カールコードのコードの直径と同等の幅及び深さを備え、カールコードの螺旋のリード角とほぼ等しい傾斜角を有する直溝であることを特徴とするカールコードホルダー。
【請求項２】
前記直立壁体は機器本体と同一材質の一体成形体であることを特徴とする請求項１記載のカールコードホルダー。
【発明の詳細な説明】
【０００１】
【発明の属する技術分野】
本発明は、螺旋状に巻いた伸縮自在なコード（カールコード）を備えた機器にカールコードを簡単に保持させておくカールコードホルダーに関する。
【０００２】
【従来の技術】
人が手で操作する電動、電磁気又は電子処理具、送受話器、センサその他これらに類するもの（以下センサ等と言う）を機器本体とコードで結合した機器や卓上電話機などでは、コードに螺旋状のカール（巻き癖）を施して伸縮自在に形成し、センサ等の不使用時にはコードを短い状態に保って邪魔にならないようにし、センサ等を使用するときにはコードが容易に伸張しセンサ等の移動範囲を拡大できるようになっている。このようなカールコードは垂れ下った状態にしておくとカール部分が徐々に伸び、取り扱いが不便になると共に、物に絡むなど、取り扱いが容易でなくなると言う問題がある。
【０００３】
このような問題を防止するために、コードを機器本体内に収納したり、機械的な手段によって機器に仮固定する試みもあるが、余分なスペースを必要とし、また、固定を解除するのに手間を要する。特に除細動器など作動源を手で瞬時に必要位置に移動する必要のある機器では、コードの緊急固定解除を要するが、従来の機械的なコード保持機構では、コードの緊急固定解除が阻害され、採用できない。
【０００４】
【発明が解決しようとする課題】
カールコードは同一の長さの一般コードと比較し重量もあり、機器から垂れ下がることにより弛み易い。カールコードの弛み、変形を防止するには、固定することを要する。機器本体に収納したり又は機械的に固定したりするには大きなスペースを必要とし、特に除細動器などの場合には、コードの固定解除は緊急を要する。従ってコードに負担を掛けずに、機械的操作なしに、手で引くだけで容易に外れる構造鋸低手段が望まれる。
【０００５】
本発明は、このような課題に対応するもので、余分なスペースを必要とせず、固定及び固定解除が極めて容易で、簡単な構造のカールコードホルダーを提供することを目的とするものである。
【０００６】
【課題を解決するための手段】
本発明は、上記問題点を解決するためになされたもので、次の技術手段を講じたことを特徴とするカールコードホルダーである。すなわち、本発明は、カールコードを有する機器の外面に設けられ、カールコードのカール部の各線が嵌入係止する複数列の溝を形成する直立壁体からなることを特徴とするカールコードホルダーである。ここで、カールコードとは導体に被覆を施した電気又は通信用コードであって、螺旋状に巻き癖を施して伸縮自在に形成した電気コードを言う。本発明のカールコードホルダーは機器の外面に機器と一体的に設けられている。
【０００７】
前記溝は、カールコードのコードの直径と同等の幅及び深さを備え、カールコードの螺旋のリード角とほぼ等しい傾斜角を有する直溝である。溝幅は、コードの直径とほぼ等しい寸法とし、好ましくは僅か小さくするとよく、溝のピッチはコードの螺旋のピッチより僅か大きい寸法としておき、カールコードの螺旋のリード角とほぼ等しい傾斜角を有する真っ直ぐな溝とすることによって、コードを溝内に軽く押し込んだときにコードが弾性変形して溝内に嵌入係止し、そのまま保持される。つまり、カールコードの巻き癖による軸方向の引張力、圧縮力、捻れを利用して溝の側壁間に適度な保持力が作用するので、カールコードの安定的な固定、保持が可能となる。この保持状態はカールコードを手で引くことによって容易に固定を解除することができる。
【０００８】
前記直立壁体は、別体の成型品を接着剤等によって取り付けてもよいが、機器本体と同一材質の一体成形体とすれば好適である。
【０００９】
【発明の実施の形態】
以下図面を参照して本発明の実施の形態を説明する。図４に本発明が適用された一例を示す除細動器５０の平面図を示した。除細動器５０は人の心臓の心室細動を除去する装置である。筋肉の寄せ集まりである心室は洞結節からの刺激信号によって収縮弛緩して拍動しているが、何らかの原因で各心筋がバラバラの動きをすると血液を拍出することができなくなる。この状態を心室細動と言う。除細動器は細動を起こした心室にパドルを介して大電流を通じることによって心室の心筋を一旦収縮させ、リズムを合わせて、元の拍動を取り戻させるものである。従って、除細動器は、緊急操作性が極めて重要である。図４に示す除細動器５０は、２個の手動のパドル６１（１個のみ図示してある）を機器本体５１とカールコード６２で結合している。パドル６１は、図の背面に体外電極板を備え、上面に握りハンドル６３を備えている。使用時には、患者の胸壁に体外電極板を押し当て、ショックを与える。パドル６１は、不使用時にはパドル収納部６４に収納されている。
【００１０】
除細動器５０の機器本体５１は可搬で、搬送用把手５２を有し、緊急時に持参して駒けつけて処置を施すものである。操作パネルの設定ボタン５３で所要値を設定し、エネルギー設定つまみ５４を設定し、パドル６１を患者の胸部に押し当てる。ディスプレイ５５には時刻、バッテリの状態、パドルの状態、通電状態を示すメッセージ、心電図波形、アラーム、等のマーク、心拍数、出力エネルギー値等が表示される。、記録部５６には処理経過が記録される。その他必要な電源コネクタ、アンテナ、心電図出力コネクタ、スピーカ等が装着されている。
【００１１】
パドル６１は２個ありカールコード６２を介して出力コネクタに接続されている。カールコード６２は、パドル６１の不使用時には短く保たれ、パドル６１を使用するときは、所要部位に届くように伸縮自在となっており、螺旋状にカールされている。除細動器５０は、緊急使用を要するので、カールコード６２が他のものにからまったり、伸縮動作が制約されるようなことがあってはならない。従って、カールコード６２はパドル６１の不使用時にはコンパクトにかつ本体に沿って収納され邪魔にならないように保持されると共に、パドル６１の使用時には面倒な保持解除手段を講ずることなく伸縮自在になることが要請される。
【００１２】
図３はこの除細動器５０の側面図であって本発明に係るカールコードホルダー１０の実施例を示している。図１は、図３のカールコードホルダーの部分の部分拡大図、図２は図１のＡ−Ａ矢視断面図である。図１〜図３にはカールコードホルダーに係止されている状態のカールコード６２の一部を併せて図示してある。
【００１３】
除細動器５０の本体５１の側面に実施例のカールコードホルダー１０が形成されている。カールコードホルダー１０を形成する位置は、カールコード６２に近い部分の機器の外面で邪魔にならない部分がよく、例えば、側壁などがよい。上面でもよい。図３に示す実施例のカールコードホルダー１０は除細動器５０の本体５１の側壁に、射出成形により一体に形成されたものである。図４では、符号１０を伏してあるが本体の上面の陰に隠れて見えない。このカールホルダー１０は本体５１と同材質のＡＢＳ樹脂で一体に形成された物である。もちろん、他の材質、例えば他のプラスチック、金属、非金属材料等からなる成形品を接着剤等により側壁に貼着してもよいが、上述のように本体５１と同一材質の一体成形品とすれば、製造、成形、一体化取付などの点で手間を要せず最も好適である。なお、材質、形状として、コードを痛めず、一方カールコードホルダー自身の破損に対する強度が大で耐久性に富む材質とすることが必要である。
【００１４】
具体的な形状について説明すると、カールコードホルダー１０は図１、図２に示すように、カールコード６２の各線が軽く進入すると共に離脱容易な溝幅と溝深さの溝１１を有し、この溝１１の側壁を形成する薄い直立壁体１２を立設している。溝１１の幅は例えばカールコード６２の直径に対して０．１〜０．３ｍｍだけ狭い寸法とする。また、溝１１は、カールコードの螺旋のリード角とほぼ等しい傾斜角αを有する直溝とする。
【００１５】
図２は除細動器５０の本体５１の壁５７と一体に成形した直立壁体１２を示している。直立壁体１２の厚さは、十分な耐久性を有する範囲で可及的に薄くする。例えば１〜１．５ｍｍとする。直立壁体１２の頂部は半円形断面とし、その基底部には適宜のアール（隅角部丸み）を付与する。また直立壁体１２相互をつなぐ適宜の補強リブ１３を設けるとよい。溝１１の長手方向寸法はカールコード６２のカールの直径より大きいことが望ましい。
【００１６】
図４に示すように、カールコード６２を矢印６５方向に手で軽く押圧すると、図１〜３に示したようにカールコード６２はカールコードホルダー１０内に嵌入係止し、その状態に保持される。パドル６１の使用時にパドル６１を手で移動させると、カールコード６２は自動的に固定解除される。
【００１７】
【発明の効果】
本発明のカールコードホルダーは以上のように構成されているので、機器本体に収納部を設けたり機械的に固定するための格別のスペースを必要とせず、また、カールコードに負担を掛けずに、固定及び固定解除を非常に容易確実に行うことができる。また、射出成形品では本体と一体構造にて形成でき、コスト低減を図ることができる。
【図面の簡単な説明】
【図１】実施例のカールコードホルダーの正面図である。
【図２】図１のＡ−Ａ矢視断面図である。
【図３】実施例が適用される除細動器の側面図である。
【図４】実施例が適用される除細動器の平面図である。
【符号の説明】
１０    カールコードホルダー
１１    溝
１２    直立壁体
１３    補強リブ
５０    除細動器
５１    本体
５２    搬送用把手
５３    設定ボタン
５４    エネルギー設定つまみ
５５    ディスプレイ
５６    記録部
５７    壁
６１    パドル
６２    カールコード
６３    握りハンドル
６４    パドル収納部
６５    矢印
【図１】
0004481474.tif 000002
【図２】
0004481474.tif 000003
【図３】
0004481474.tif 000004
【図４】
0004481474.tif 000005